(57)【要約】【課題】撮像時の状況に関連する情報を、画像データの印刷注文を行った利用者に提供する。【解決手段】通信回線を介して利用者端末２００から受信した画像データの印刷注文を管理する注文管理装置４００であって、画像データを受信して印刷注文処理データを生成する注文処理部４４０と、画像データを撮像した撮像環境を示す撮像環境データを、画像データの印刷注文に対応付けて利用者端末２００から受信し、撮像環境データに基づいて画像データを送信した利用者に提供すべき情報である提供情報を選択する提供情報選択部４６０と、注文処理データと情報選択部４４０が選択した情報とを対応付けて利用者端末２００に送信する送信部４８０とを備える。【選択図】　図３
2004038249.tif 000002
【特許請求の範囲】
【請求項１】
通信回線を介して利用者端末から受信した画像データの印刷注文を管理する注文管理システムであって、
前記画像データを受信して印刷注文処理データを生成する注文処理部と、
地域を特定する情報と、前記注文管理システムの利用者に提供すべき提供情報とを対応付けて格納する情報格納部と、
前記画像データを撮像した地域を特定する地域特定情報を、前記画像データの印刷注文に対応付けて前記利用者端末から受信し、前記地域特定情報に基づいて前記情報格納部から前記提供情報を選択する提供情報選択部と、
前記注文処理データと前記情報選択部が選択した前記提供情報とを対応付けて前記利用者端末に送信する送信部と
を備えることを特徴とする注文管理システム。
【請求項２】
通信回線を介して利用者端末から受信した画像データの印刷注文を管理する注文管理システムであって、
前記画像データを受信して印刷注文処理データを生成する注文処理部と、
前記注文管理システムの利用者に提供すべき提供情報を、日時を特定する情報に対応付けて格納する情報格納部と、
前記画像データを撮像した日時を特定する日時情報を、前記画像データの印刷注文に対応付けて前記利用者端末から受信し、前記日時情報に基づいて前記情報格納部から前記提供情報を選択する提供情報選択部と、
前記注文処理データと前記情報選択部が選択した前記提供情報とを対応付けて前記利用者端末に送信する送信部と
を備えることを特徴とする注文管理システム。
【請求項３】
撮像により画像データを生成する撮像装置と、前記画像データの印刷注文を管理する注文管理装置と、を備える注文管理システムであって、
前記撮像装置は、
前記画像データを生成する撮像部と、
前記画像データを生成した日時又は地域を示す撮像環境データを取得する撮像環境取得部と、
前記画像データと前記撮像環境データとを対応付けて外部に出力する出力部とを備え、
前記注文管理装置は、
前記画像データを受信して印刷注文処理データを生成する注文処理部と、
前記撮像環境データを前記画像データに対応付けて受信し、前記撮像環境データに基づいて前記利用者に提供すべき情報である提供情報を選択する情報選択部と、
前記注文処理データと前記情報選択部が選択した前記提供情報とを対応付けて前記利用者の端末に送信する送信部と
を備えることを特徴とする注文管理システム。
【発明の詳細な説明】
【０００１】
本発明は注文管理システムに関する。特に本発明は、画像データの印刷注文を行う時に、利用者に画像データに関連する情報を提供できる注文管理システムに関する。
【０００２】
【従来の技術】
インターネット及びデジタルカメラの普及に伴い、デジタル画像のプリント注文をインターネットを介して受注するサービスが行われている。また、記録媒体の販売を促進するシステムとして、特開２００１−３１９１３２に開示された技術がある。本技術は、記録媒体の販売に関する販売促進情報内容を配信する情報配信装置と、少なくとも記録媒体を装着して電子情報内容を処理する第１の機能、及び情報配信装置から配信される販売促進情報内容を受信して処理する第２の機能とを有する複数の情報処理装置とを備え、記録媒体による電子情報内容と情報配信装置による販売促進情報内容とを同一の情報提供業者から提供するようにしたことを特徴とする。
【０００３】
【発明が解決しようとする課題】
プリント注文を行う場合、利用者は、撮像時の状況を思い出すとともに、撮像の状況に関連する情報を確認する場合がある。従来は、利用者は、撮像時の状況を思い出すために、或いは撮像に関連する情報を確認するために、自ら動いて情報を収集する必要があった。
【０００４】
そこで本発明は、上記の課題を解決することのできる注文管理システムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、通信回線を介して利用者端末から受信した画像データの印刷注文を管理する注文管理システムであって、画像データを受信して印刷注文処理データを生成する注文処理部と、地域を特定する情報と、注文管理システムの利用者に提供すべき提供情報とを対応付けて格納する情報格納部と、画像データを撮像した地域を特定する地域特定情報を、画像データの印刷注文に対応付けて利用者端末から受信し、地域特定情報に基づいて情報格納部から提供情報を選択する提供情報選択部と、注文処理データと情報選択部が選択した提供情報とを対応付けて利用者端末に送信する送信部とを備えることを特徴とする注文管理システムを提供する。
【０００６】
本発明の第２の形態は、通信回線を介して利用者端末から受信した画像データの印刷注文を管理する注文管理システムであって、画像データを受信して印刷注文処理データを生成する注文処理部と、注文管理システムの利用者に提供すべき提供情報を、日時を特定する情報に対応付けて格納する情報格納部と、画像データを撮像した日時を特定する日時情報を、画像データの印刷注文に対応付けて利用者端末から受信し、日時情報に基づいて情報格納部から提供情報を選択する提供情報選択部と、注文処理データと情報選択部が選択した提供情報とを対応付けて利用者端末に送信する送信部とを備えることを特徴とする注文管理システムを提供する。
【０００７】
本発明の第３の形態は、撮像により画像データを生成する撮像装置と、画像データの印刷注文を管理する注文管理装置と、を備える注文管理システムであって、撮像装置は、画像データを生成する撮像部と、画像データを生成した日時又は地域を示す撮像環境データを取得する撮像環境取得部と、画像データと撮像環境データとを対応付けて外部に出力する出力部とを備え、注文管理装置は、画像データを受信して印刷注文処理データを生成する注文処理部と、撮像環境データを画像データに対応付けて受信し、撮像環境データに基づいて利用者に提供すべき情報である提供情報を選択する情報選択部と、注文処理データと情報選択部が選択した提供情報とを対応付けて利用者の端末に送信する送信部とを備えることを特徴とする注文管理システムを提供する。
【０００８】
なお上記の発明の概要は、本発明の必要な特徴の全てを列挙したものではなく、これらの特徴群のサブコンビネーションも又発明となりうる。
【０００９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１０】
図１は、本発明の一実施形態である注文管理システムの構成例を示す図である。本注文管理システムは、撮像場所などを示す撮像環境データに基づいて選択した情報を、撮像した画像データの印刷注文を行った利用者に提供するシステムである。注文管理システムは、撮像装置１００、利用者端末２００、及び注文管理装置４００、及び複数の情報格納装置６００を備える。利用者端末２００は、例えば無線通信や通信ケーブルを用いて撮像装置１００から画像データなどを受け取ると共に、インターネット等の通信網１０を介して注文管理装置４００との間でデータを送受信する。注文管理装置４００は、情報格納装置６００と通信網１０を介してデータを送受信し、また印刷装置３０と例えば専用線を介して接続する。また、利用者端末２００は、リムーバブルメディア４０から必要なプログラムをインストールされる。情報格納装置６００は、例えば観光局などの情報発信者が管理する情報提供サーバである。
【００１１】
利用者は、撮像装置１００で撮像した画像データ、及び撮像時の撮像環境データを、印刷の注文を行うために、利用者端末２００を介して注文管理装置４００に送信する。ここで、利用者端末２００は、画像データ及び撮像環境データを、リムーバブルメディアや脱着可能なＩＣメモリを介して撮像装置１００から取得してもよい。注文管理装置４００は、画像データの印刷処理を行うとともに、撮像環境データに基づいて一又は複数の情報格納装置６００を選択し、選択した情報格納装置６００から、利用者に提供すべき提供情報を取得して利用者端末２００に送信する。
従って、本注文管理システムを用いると、利用者は、撮像環境データに基づいた情報すなわち画像データに関連した情報を印刷注文の時に簡単に入手することができる。
【００１２】
図２は、撮像装置１００の機能ブロック図である。撮像装置１００は、撮像部１２０、入力部１４０、撮像環境取得部１５０、格納部１６０、及び出力部１８０を有する。
撮像部１２０は、例えばＣＣＤや光学系を含んでおり、外部から光を取り込んで光電変換をすることで画像データを生成する。また、撮像部１２０は、撮像するときにその旨を示すデータを撮像環境取得部１５０に出力する。入力部１４０は、利用者から撮像部１００を操作するための入力を受け付ける。
【００１３】
撮像環境取得部１５０は、計時部、ＧＰＳ装置、及び方位計を内蔵しており、撮像部１２０から撮像する旨を示すデータを受信すると、そのときの撮像環境を示す撮像環境データを取得し、格納部１６０に出力する。撮像環境データは、日時、緯度経度、及び撮像装置１００の撮像方位を示すデータを含む。
格納部１６０は、例えば内蔵型の半導体メモリであり、撮像部１２０が生成した画像データと、撮像環境取得部１５０から受信した撮像環境データとを対応付けて格納する。格納部１６０は、例えばリムーバブルメディアや取り外し可能な半導体メモリであってもよい。
出力部１８０は、利用者からの入力に基づいて、画像データ及び当該画像データに対応する撮像環境データを格納部１６０から読み出して利用者端末２００に出力する。
【００１４】
すなわち、撮像装置１００を用いることで、利用者は、負荷を感じることなく、撮像した画像データと撮像環境データとを対応付け、また画像データと撮像環境データとを利用者端末２００に出力することができる。
【００１５】
図３は、注文管理装置４００の機能ブロック図である。注文管理装置４００は、処理データ格納部４２０、注文処理部４４０、情報選択部４６０、送信部４８０、カウント部５００、及び印刷部５２０を有する。情報選択部４６０は、装置情報格納部４６５を含む。
【００１６】
処理データ格納部４２０は、注文管理装置４００が処理した印刷注文を示すデータを格納する。
注文処理部４４０は、利用者端末２００から画像データを含む印刷注文データを受信して注文処理を行い、生成したデータを処理データ格納部４２０に格納すると共に、送信部４８０に出力する。また、注文処理部４４０は、カウント部５００から入力されるデータに基づき、注文処理データを生成し直す。
【００１７】
情報選択部４６０は、利用者端末２００から画像データに対応する撮像環境データを受信し、当該撮像環境データに基づいて情報格納装置６００を選択し、選択した情報格納装置６００から利用者に提供すべき情報を取得する。ここで、情報選択部４６０は、装置情報格納部４６５に格納されている、情報格納装置６００と撮像環境データとを対応付けるデータを用いて、情報格納装置６００を選択する。
【００１８】
送信部４８０は、注文処理部４４０が生成した注文情報を利用者に確認させるための確認データを生成し、情報選択部４６０が取得した情報と共に、利用者端末２００に送信する。
【００１９】
カウント部５００は、送信部４８０が利用者端末２００に送信した情報の中に広告が含まれている場合に、利用者端末２００で広告が表示された回数或いはユーザが広告の詳細を要求した回数を示すデータを、利用者端末２００から受信する。そして、回数を示すデータを、対応する確認データに対応付けて処理データ格納部４２０に格納する。
また、カウント部５００は、回数を示すデータに基づく広告表示料を算出し、情報格納装置６００に送信する。
【００２０】
印刷部５２０は、利用者端末２００から確認データの更新データを受信し、当該更新データに対応する確認データを処理データ格納部４２０から読み出し、読み出した確認データ及び更新データに基づいて印刷装置３０に印刷を実行させる。また、印刷部５２０は、処理データ格納部４２０に格納されている確認データを、利用者端末２００からの更新データに基づいて更新する。
【００２１】
従って、利用者は印刷管理装置４００に画像データの印刷注文を行うと、当該画像データの撮像時の環境に関連する情報を簡単に入手することができる。
【００２２】
図４は、処理データ格納部４２０のデータフォーマットの一例を、注文番号毎のテーブルとして示す図である。処理データ格納部４２０は、当該注文を行った利用者のＩＤ、画像データ、印刷価格、撮像環境データ、緯度経度情報により特定される撮影場所、注文確認の時に利用者端末２００に送信した情報、送信した情報に含まれる広告を表示した回数、及び広告単価を、互いに対応付けて格納する。
従って、印刷部５２０は、処理データ格納部４２０からデータを読み出すことで、印刷装置３０に印刷を実行させることができる。また、印刷部５２０は、例えば広告の表示回数に単価を掛け合わせた値を印刷価格から差し引くことで、利用者に広告表示に基づいた割引サービスを提供することができる。
【００２３】
図５は、装置情報格納部４６５が格納する情報のフォーマットの一例を示す。装置情報格納部４６５は、緯度経度情報などの撮像環境データに、情報格納装置６００を識別する情報、例えばＵＲＬを対応付けて格納する。例えば、緯度経度情報が示す地域の情報を提供しているＵＲＬを、当該緯度経度情報に対応付けて格納する。
従って、情報選択部４６０は、撮像環境データに対応する情報を保持する情報格納装置６００を選択することができる。
【００２４】
図６は、情報格納装置６００が格納する情報のフォーマットの一例を示す。情報格納装置６００は、緯度経度の範囲毎に、地域名、その地域のシンボルを写した画像データ、広告情報、及び広告単価を格納する。詳細には、情報格納装置６００は、季節毎に画像データを格納する。更に詳細には、時間毎に画像データを格納する。また、情報格納装置６００は、季節毎に広告情報及び広告単価を格納する。
従って、情報格納装置６００は、利用者に、画像データを撮像した季節或いは時間に合わせた情報を提供することができる。
【００２５】
また、情報格納装置６００は、撮像方位毎に画像データを格納してもよい。この場合、画像データは、撮像場所を介して被写体とは反対方位に位置する町並みや風景を示すことが好ましい。この結果、利用者は、印刷時に、画像データに写っている風景のみではなくその周囲の風景も確認することができるため、印刷注文を行う画像データのみを見る場合と比べて、詳細に撮影時の様子を思い描くことができる。
【００２６】
図７は、利用者端末２００における確認データの表示例を示す。利用者端末２００は、画像毎に、画像そのもの、画像識別情報、印刷価格、緯度経度情報により特定される撮像場所、情報格納装置６００から取得した撮像場所の画像データ、及び広告情報を表示する。広告情報は、例えば商品を注文するためのボタンと共に表示される。
従って、利用者は、撮像時の様子を思い描きながら、自らが必要としている情報や商品を、広告情報から選択したり注文したりすることができる。
【００２７】
図８は、撮像装置１００の撮像時の動作例を示すフローチャートである。撮像部１２０が撮像を行う（Ｓ１０）と、撮像環境取得部１５０は、撮像環境データとして、緯度経度情報（Ｓ２０）、撮像方位情報（Ｓ３０）、及び日時情報（Ｓ４０）をそれぞれ取得する。そして、格納部１６０は、撮像した画像データと、撮像環境データとを対応付けて格納する（Ｓ５０）。
【００２８】
図９は、利用者端末２００、注文管理装置４００、及び情報格納装置６００の、印刷注文時の動作を示すフローチャートである。
【００２９】
利用者端末２００は、撮像装置１００から画像データ及び撮像環境データを取得する（Ｓ１２０）と、利用者の指示に従って、画像データ及び撮像環境データを含む印刷注文データを生成して注文管理装置４００に送信する（Ｓ１４０）。
注文管理装置４００の注文処理部４４０は、受信した印刷注文データを処理する（Ｓ１６０）。また、情報選択部４６０は、緯度経度情報に基づいて情報格納装置６００を選択し（Ｓ１８０）、選択した情報格納装置６００に緯度経度情報、日時情報、及び撮像方位を送信する（Ｓ２００）。
【００３０】
情報格納装置６００は、受信した緯度経度情報、日時情報及び撮像方位に基づいて、提供すべき画像データ、広告情報、及び広告単価を選択し（Ｓ２２０）、注文管理装置４００の情報選択部４６０に送信する（Ｓ２４０）。ここで選択される広告情報は、例えば長期休暇の時期に行われるパッケージツアーの情報、緯度経度情報が示す地域のおみやげを販売している業者の情報を含む。広告情報が後者の場合、利用者はおみやげの追加注文を簡単に行うことができる。
注文管理装置４００の送信部４８０は、情報選択部４６０を介して情報格納装置６００から情報を受信すると、注文を確認するための確認データを生成し、利用者端末２００に送信する（Ｓ２８０）とともに、処理データ格納部４２０に確認データを格納する（Ｓ３００）。
そして、利用者端末２００が確認データを表示した（Ｓ３１０）後、利用者端末２００、注文処理装置４００及び情報格納装置６００は、注文確定処理を実行する（Ｓ４００）。
【００３１】
すなわち、注文管理装置４００は、緯度経度情報に基づいて情報格納装置６００を選択し、その後情報格納装置６００に必要な情報を送信する。従って、本図のようなフローにすることで、注文管理システムは、効率よく利用者に提供すべき情報を選択することができる。
【００３２】
図１０は、図９の注文確定処理（Ｓ４００）の詳細を示すフローチャートである。
利用者端末２００は、利用者が広告を選択してクリックする（Ｓ４０２）と、広告の詳細を注文管理装置４００に要求する（Ｓ４０４）。注文管理装置４００のカウント部５００は、この広告詳細要求を情報格納装置６００に送信する（Ｓ４０６）。そして、カウント部５００は、情報格納装置６００から広告の詳細を受信する（Ｓ４０８）と、処理データ格納部４２０中の利用者の広告表示回数のカウント値を増加させる（Ｓ４１０）とともに、カウント値に単価を掛け合わせることで割引額を計算し、当該割引額を用いて印刷料金を算出する（Ｓ４１２）。そして、注文処理部４４０は、確認データを再度生成した（Ｓ４１４）後、広告の詳細とともに確認データを再送する（Ｓ４１６）。
【００３３】
利用者端末２００は、広告の詳細と共に、再送された確認データを表示する（Ｓ４１８）。そして、利用者が確認データを認証すると、その旨を示すデータを注文管理装置４００に送信する（Ｓ４２２）。
注文管理装置４００の印刷部５２０は、認証データを利用者端末２００から受信すると、印刷処理を行う（Ｓ４２４）。また、カウント部５００は、割引額に基づいた広告代を請求するためのデータを生成して情報格納装置６００に送信する（Ｓ４２６）。
【００３４】
従って、本図のようなフローにすることで、注文管理システムは、利用者に、広告を提供できると共に当該広告提供に基づいた印刷代金の割引サービスを提供することができる。
【００３５】
図１１は、図９に示したフローチャートの変形例を示す。本例は、Ｓ１２０〜Ｓ１６０までの処理、及びＳ２６０以降の処理は図９と同じであるため説明を省略する。
注文管理装置４００の情報選択部４００は、印刷注文の対象となる画像データの解析を行い（Ｓ１６２）、画像データが旅行のスナップ写真であるか否かを判断する（Ｓ１６４）。情報選択部４００は、例えば人物が画像データの左若しくは右にレイアウトされており、且つ、画像データがパンフォーカスで撮像されている場合は、旅行のスナップ写真と判断する。スナップ写真と判断した場合、図９のＳ１８０〜Ｓ２４０と同じ処理を行う。
それ以外の場合、例えば画像データの背景がぼけている場合や画像データ中に人物が含まれておらず風景のみである場合は、フォトコンテストや写真コミュニティの情報や撮影会の情報を、利用者に提供すべき情報として選択し（Ｓ１６６）、Ｓ２６０に進む。
【００３６】
従って、本図の処理を行うことで、注文管理装置４００は、画像データから利用者の嗜好を認識し、この嗜好に合わせた情報選択を行うことができる。
【００３７】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３８】
【発明の効果】
上記説明から明らかなように、本発明によれば撮像時の状況に関連する情報を、画像データの印刷注文を行った利用者に提供することができる。
【図面の簡単な説明】
【図１】本発明の一実施形態である注文管理システムの構成例を示す図である。
【図２】撮像装置１００の機能ブロック図である。
【図３】注文管理装置４００の機能ブロック図である。
【図４】処理データ格納部４２０のデータフォーマットの一例を、注文番号毎のテーブルとして示す図である。
【図５】装置情報格納部４６５が格納する情報のフォーマットの一例を示す図である。
【図６】情報格納装置６００が格納する情報のフォーマットの一例を示す図である。
【図７】利用者端末２００における確認データの表示例を示す図である。
【図８】撮像装置１００の撮像時の動作例を示すフローチャートである。
【図９】利用者端末２００、注文管理装置４００、及び情報格納装置６００の、印刷注文時の動作を示すフローチャートである。
【図１０】図９の注文確定処理（Ｓ４００）の詳細を示すフローチャートである。
【図１１】図９に示したフローチャートの変形例を示す。
【符号の説明】
１００　撮像装置
１２０　撮像部
１５０　撮像環境取得部
１６０　格納部
１８０　出力部
２００　利用者端末
４００　注文管理装置
４４０　注文処理部
４６０　情報選択部
４８０　送信部
６００　情報格納装置
【図１】
2004038249.tif 000003
【図２】
2004038249.tif 000004
【図３】
2004038249.tif 000005
【図４】
2004038249.tif 000006
【図５】
2004038249.tif 000007
【図６】
2004038249.tif 000008
【図７】
2004038249.tif 000009
【図８】
2004038249.tif 000010
【図９】
2004038249.tif 000011
【図１０】
2004038249.tif 000012
【図１１】
2004038249.tif 000013